(57)【要約】      （修正有）【課題】吸水後の吸水性ポリマーが袋体から漏れ出ることを防止する水のうを提供する。【解決手段】吸水性ポリマー５と吸水性ポリマーを内包する袋体３を備えた水のう１であって、袋体の素材として少なくとも一部が透水性を有するシート材であって、かつ、吸水性ポリマーは透過させないシート材を用いる。シート材として不織布を用い、袋体の縁部７を二重に縫製しているのが好ましい。【選択図】図１
0003191970.tif 000002
【実用新案登録請求の範囲】
【請求項１】
吸水性ポリマーと前記吸水性ポリマーを内包する袋体を備えた水のうであって、
前記袋体の素材として、少なくとも一部が透水性を有するシート材であって、かつ、前記吸水性ポリマーは透過させないシート材を用いた水のう。
【請求項２】
前記シート材として不織布を用いた、請求項１記載の水のう。
【請求項３】
前記袋体の縁部を二重に縫製した、請求項２記載の水のう。
【請求項４】
設置場所からの移動を防止するストッパーと連結する連結部をさらに備える、請求項１から３のいずれかに記載の水のう。
【請求項５】
全体としてシート状の形状であり、
前記連結部は、リング状の形状である、請求項４記載の水のう。
【請求項６】
複数の前記連結部を備える、請求項５記載の水のう。
【請求項７】
水よりも比重の大きい重りをさらに備える、請求項４から６のいずれかに記載の水のう。
【考案の詳細な説明】
【技術分野】
【０００１】
本考案は、吸水性ポリマーを内包した水のうに関するものである。
【背景技術】
【０００２】
都市圏等での大雨時に地下街や建物内部への浸水による水害を防ぐ手段として、吸水性ポリマーを内包する水のうが用いられている。吸水性ポリマーは水分に浸されると、ゲル化し、水分を吸収・保持する。吸水性ポリマーを用いる水のうは、吸水後には重量及び体積が増加するが、乾燥時の水のうはコンパクトで軽い。そのため、設置作業や撤収作業が容易である。また、その吸水性の高さから、グラウンド整備時に水たまりの除水処理に用いられるなど、水害対策に限らず様々な場面での水処理に活用されている。本願考案者らは、これまで設置作業や撤収作業が容易な水のう等を開発してきた（例えば、特許文献１参照）。
【０００３】
従来、水のうの袋体の素材には、土のうの袋体と同様に、麻等の素材がよく用いられていた。
【先行技術文献】
【特許文献】
【０００４】
【特許文献１】特開２００５−６１０６９号公報
【考案の概要】
【考案が解決しようとする課題】
【０００５】
しかしながら、麻等の素材では、吸水してゲル状となった吸水性ポリマーが水のうの袋体内部から漏れ出ることがあった。吸水性ポリマーが床面に漏れ出ると滑りやすくなるため、水害等の緊急時には現場が混乱する一因となって非常に危険であった。その上、処理が面倒となる欠点を有していた。
【０００６】
本考案は、吸水後の吸水性ポリマーが袋体から漏れ出ることを防止する水のうを提供することを課題とする。
【課題を解決するための手段】
【０００７】
本考案の第１の観点は、吸水性ポリマーと前記吸水性ポリマーを内包する袋体を備えた水のうであって、前記袋体の素材として、少なくとも一部が透水性を有するシート材であって、かつ、前記吸水性ポリマーは透過させないシート材を用いた水のうである。
【０００８】
本考案の第２の観点は、第１の観点の水のうであって、前記シート材として不織布を用いた水のうである。
【０００９】
本考案の第３の観点は、第１又は第２の観点の水のうであって、前記袋体の縁部を二重に縫製した水のうである。
【００１０】
本考案の第４の観点は、第１から第３のいずれかの観点の水のうであって、設置場所からの移動を防止するストッパーと連結する連結部をさらに備える水のうである。
【００１１】
本考案の第５の観点は、第４の観点の水のうであって、全体としてシート状の形状であり、前記連結部は、リング状の形状である水のうである。
【００１２】
本考案の第６の観点は、第５の観点の水のうであって、複数の前記連結部を備える水のうである。
【００１３】
本考案の第７の観点は、第４から第６のいずれかの観点の水のうであって、水よりも比重の大きい重りをさらに備える水のうである。
【考案の効果】
【００１４】
本考案の第１の観点によれば、吸水性ポリマーの水のう内部からの流出を防止し、水害などの緊急時に現場が滑りやすくなることを防止することが可能となる。また、流れ出た吸水性ポリマーの後処理の手間を省くことが可能となる。
【００１５】
なお、従来の水のうは、吸水時に、ゲル化した吸水性ポリマーが防水シートの折り目から流出することがあった。
【００１６】
そこで、本考案の第２の観点によれば、吸水時に、織り目からの吸水性ポリマーの流出を防ぐことが容易となる。これは、不織布は織り目を有さない上に、作成時に布の厚みや空隙を調整することができるという特徴を有するためである。しかも、目が粗くなりがちな麻などの素材を用いる場合と比べて、袋体の強度を増大させて破れにくい水のうを提供することが容易となる。
【００１７】
また、従来の水のうは、吸水時に、ゲル化した吸水性ポリマーが縫い目から流出する事態も生じていた。
【００１８】
そこで、本考案の第３の観点によれば、縫い目からの吸水性ポリマーの流出を防ぐことが容易となる。しかも、縫い目の強度を増すことにより、車が載っても破れない程の強度を実現することが可能となる。このため、水害時の現場で物や人が載っても破れない強靭な水のうを提供することが可能となる。
【００１９】
さらに、本考案の第４の観点によれば、水のう設置後に強い風雨等の影響で水のうが移動してしまうことを防止し、建築物内部への浸水を防止することがさらに容易となる。
【００２０】
さらに、本考案の第５の観点によれば、全体としてシート状であるため、浸水から守りたい建築物の一部と地面との隙間に差し込む水のうを提供可能となる。しかも、建築物内部に連結部を入れた状態で、建築物と地面との隙間よりも厚みのあるストッパーを連結部に差し込むことで水のうが強い風雨等で移動してしまうことを防止可能となる。そのため、建築物への迅速な設置が可能な水のうを提供できる。
【００２１】
さらに、本考案の第６の観点によれば、棒状のストッパーを複数の連結部に差し込むことにより、ストッパーが連結部から外れにくい状況を迅速に実現可能な水のうを提供可能となる。
【００２２】
ただし、水のうが軽量であるため、水のうが充分に水を含んで重くなるまでの間、水のうが水面に浮いてしまい、水のうと地面との隙間を通って建築物内部に浸水する事態が想定される。
【００２３】
そこで、本考案の第７の観点によれば、吸水前の水のうであっても、水のうが水面に浮くことを抑制し、建築物内部に浸水することを防止することがさらに容易となる。
【図面の簡単な説明】
【００２４】
【図１】本考案の実施の形態に係る水のうの全体図である。
【図２】吸水前後の水のうの体積変化の一例を示す図であり、（ａ）乾燥時、及び、（ｂ）吸水時の水のうの一例を示す図である。
【図３】本考案の実施の形態に係る、連結部を備える水のうの全体図である。
【図４】本考案の実施の形態に係る、連結部を備える水のうの設置図である。
【図５】建築物の隙間に本考案に係る水のうを設置した場合の吸水前後の変化の概要を示す図である。
【考案を実施するための形態】
【００２５】
以下では、図面を参照しながら本考案に係る水のうの実施の形態について説明する。なお、本考案に係る水のうは、以下の実施の形態に限られるものではない。
【実施例】
【００２６】
図１は本考案の実施の形態に係る水のう１（本願請求項における「水のう」の一例）を示した図である。水のう１の袋体３（本願請求項における「袋体」の一例）の素材には、少なくとも一部が透水性を有するシート材（本願請求項における「シート材」の一例）であって、かつ、前記吸水性ポリマーは透過させないシート材として不織布を用いた。点線にて囲まれる部分は、袋体３の内部を表しており、袋体３に吸水性ポリマー５が内包されている様子を示している。また、破線にて縫い目を示しているように、水のう１の縁部７（本願請求項における「縁部」の一例）は二重に縫い合わせてある。吸水性ポリマー５は、二重に縫い合わせた縁部７の内部に全て収納されている。
【００２７】
水のう１は、乾燥時には、１つが約１５０ｇと軽量であり、折り畳み可能なシート状の形状であるため、お年寄りから子供まで災害時に誰でも素早く設置可能である。
【００２８】
また、水のう１は、このような軽量のものでも最大約１２リットル（５００ｍＬペットボトル２４本分）の水を５−１０分間で吸水し、保持可能である。このとき、図２に示すように、水のう１は、体積が増大する。図２は、吸水前後の水のうの体積変化の一例を示す図であり、（ａ）乾燥時、及び、（ｂ）吸水時の水のうの一例を示す図である。
【００２９】
さらに、水のう１の袋体３は、不織布を用いたことに加えて縁部７を二重に縫製したことにより、車が載っても破れない程の強度を有する。このため、グラウンドや建設現場のように強度が要求される作業場所でも安心して水処理を行うことができる。
【００３０】
さらに、水のう１が全体としてシート状の形状であるため、玄関・扉・シャッターなどの建築物の一部と地面との隙間に差し入れて設置可能である。このため、建築物内部への浸水を防止するのに適している。
【００３１】
図３は、設置場所からの水のうの移動を防止するストッパー９と連結する連結部１３（本願請求項における「連結部」の一例）を複数備えた水のう１１を示した図である。ストッパー９（本願請求項における「ストッパー」の一例）は、水のう１１に縫い付けられたリング状の布である連結部１３に通されることで、水のうに連結されている。
【００３２】
図４は図３のストッパー９付き水のう１１をドア１５に設置した様子を示す図である。ドア１５の閉鎖時に建物内にストッパー９があり、建物外に水のう１１の吸水部の大部分があり、水のう１１の吸水部がドアと床面との隙間を跨ぐようにを水のう１１を設置する。ここで、ストッパー９が閉鎖された建物内にあるため、風雨等の影響で水のうが移動することを防ぐことができる。
【００３３】
また、複数の連結部１３に棒状のストッパー９が連結されることにより、風雨などで水のう１１が多少動いたとしても、容易にはストッパー９が連結部１３から外れることを抑制できる。
【００３４】
また、図５は、建築物の隙間に本考案に係る水のうを設置した場合の吸水前後の変化の概要を示す図である。図５に示すように、水のう１１が吸水することで膨張し体積が増せば、ドア１５と床面との隙間が水のう１１によって塞がれるため、水のう１１を建物に安定に固定することが可能となる。
【００３５】
なお、図３及び図４では接続具として棒状のストッパーを用いた例を示したが、ストッパーは、建築物の一部と連結するものであってもよい。例えば、水のうと建築物とを連結するチェーン等であってもよい。水のう１１の吸水部が床面と建物の開閉具の隙間を跨ぐように設置されれば、水のう１１が吸水し膨張することで、建物と床面との隙間が埋まり、水のうは建物に固定されるため、ストッパーにより水のうが建物に完全に固定される必要はなく、ある程度の余裕があっても構わない。
【００３６】
また、縁部は、さらに強度を増すために三重、四重と縫製したものであってもよい。
【００３７】
さらに、本考案に係る水のうは、袋体の縁部等の一部に砂等の重り（本願請求項における「重り」の一例）を備えてもよい。これにより、コンパクトで軽いという水のうの特徴を極力残しつつ、吸水前に設置した水のうが風雨の影響で動いてしまうことを抑制することが可能となる。特に、建築物に用いる水のうの場合、吸水前のわずかな時間であっても軽量な水のうが浮いてしまうことによる浸水の被害が懸念される。そのため、このような重りが吸水前の水のうを地面に押さえつけることで、浸水被害を防止することがさらに容易となる。
【００３８】
さらに、本考案に係る水のうは、袋体内部の吸水性ポリマーを交換可能なものであってもよい。
【００３９】
さらに、本考案に係る水のうは、再利用可能なものであってもよい。再利用の方法としては、例えば、天日で自然乾燥することによってもよい。あるいは、水のうをバケツなどの容器に移し、海水（塩水）又は塩化カルシウム等の離水剤を加えた１０〜１５％濃度水に約１０〜２０分浸して、保水していた吸水性ポリマーを離水させてもよい。
【００４０】
さらに、本考案に係る水のうの重さや体積は、用途に合わせて変更可能である。主な用途としては、例えば、台風や大雨などの緊急災害、防災現場、住宅・店舗・事務所・倉庫・車庫などの建築物への浸水防止や漏水防止、複数階の建築物における階下への水漏れ防止、屋外グラウンド・ゴルフ場・テニス場での残水処理、地下道への流入防止、給排水管の漏水対策、建築物老朽化に伴う雨漏り対策や緊急時対応、ドアの隙間の浸水予防等が挙げられる。
【符号の説明】
【００４１】
１・・・水のう、３・・・袋体、５・・・吸水性ポリマー、７・・・袋体の縁部、９・・・ストッパー、１１・・・ストッパー付き水のう、１３・・・リング状の布、１５・・・ドア
【図１】
0003191970.tif 000003
【図２】
0003191970.tif 000004
【図３】
0003191970.tif 000005
【図４】
0003191970.tif 000006
【図５】
0003191970.tif 000007
【手続補正書】
【提出日】平成26年5月20日(2014.5.20)
【手続補正１】
【補正対象書類名】実用新案登録請求の範囲
【補正対象項目名】全文
【補正方法】変更
【補正の内容】
【実用新案登録請求の範囲】
【請求項１】
吸水性ポリマーと前記吸水性ポリマーを内包する袋体を備えた水のうであって、
前記袋体の素材として、少なくとも一部が透水性を有するシート材であって、かつ、前記吸水性ポリマーは透過させないシート材を用いた水のう。
【請求項２】
前記シート材として不織布を用いた、請求項１記載の水のう。
【請求項３】
前記袋体の縁部を二重に縫製した、請求項２記載の水のう。
【請求項４】
設置場所からの移動を防止するストッパーと連結する連結部をさらに備える、請求項１から３のいずれかに記載の水のう。
【請求項５】
全体としてシート状の形状であり、
前記連結部は、リング状の形状である、請求項４記載の水のう。
【請求項６】
複数の前記連結部を備える、請求項５記載の水のう。